(57)【要約】      （修正有）【課題】定時に定量噴水して、植物（例えば観葉植物、盆栽植物など）が水切れにより枯れることを防止できる自動散水植木鉢を提供する。【解決手段】自動散水植木鉢１００であり、上端に開口を持つ植木鉢容器で、容器内に、第１の収納室１０と第２の収納室２０を形成するための区切りや内鉢がある。第１の収納室には植物が植えられ、第２の収納室には水が貯留される。容器内には、少なくとも一つの供水パイプ５３と少なくとも一つの噴水パイプ５６とが設けられる。供水パイプは、第１の収納室から第２の収納室に延び入り、水を第２の収納室内に注入する。噴水パイプは、第２の収納室内で水汲み器と接続される。水汲み器は、コントローラによって制御され、定時に定量、第２の収納室内の水を汲んで、噴水パイプから第１の収納室に噴水して、植物が水切れにより枯れることを防止できる。【選択図】図１
0003108628.tif 000002
【実用新案登録請求の範囲】
【請求項１】
上端に開口を持つ植木鉢容器と、
この植木鉢容器内に配置されて、植物を植えるための土壌を収納するための第１の収納室及び水を貯留するための第２の収納室をそれぞれ上下に形成するものであって、前記第１の収納室内の土壌の水分を前記第２の収納室内に滲入させるための複数の微細穴が配列される区切りと、
前記植木鉢容器内に配置され、前記第１の収納室から前記第２の収納室に延び入り、上端から水を前記第２の収納室内に注入するための少なくとも一つの供水パイプと、
前記植木鉢容器内に配置され、前記第２の収納室から前記第１の収納室に延び出て、前記供水パイプと一体に結合される少なくとも一つの噴水パイプと、
前記第２の収納室の底部に配置され、前記噴水パイプに接続される排水口を持ち、電気的に接続されたコントローラの制御を受けて、定時に定量、前記第２の収納室内から水を汲んで、前記噴水パイプを介して前記第１の収納室に散水する水汲み器と
を含むことを特徴とする自動散水植木鉢。
【請求項２】
前記植木鉢容器の中央部には、この中央部に前記区切りを水平に支持固定する突出部が設けられることを特徴とする請求項１記載の自動散水植木鉢。
【請求項３】
前記区切りは、上端に開口がある容器であり、内鉢が形成され、前記区切り上にこの区切りの支持力を強化するための少なくとも一つの凸縁が設けられることを特徴とする請求項１記載の自動散水植木鉢。
【請求項４】
前記区切りの周縁には、前記供水パイプ及び前記噴水パイプが嵌入される少なくとも一つの凹部が形成されることを特徴とする請求項１記載の自動散水植木鉢。
【請求項５】
前記供水パイプは、この上端に、前記第２の収納室内に水を注入するとともに自己の上端を封止するための上げ開き乃至回し開き可能な可動ストッパーを有することを特徴とする請求項１記載の自動散水植木鉢。
【請求項６】
前記噴水パイプは、この上端に、噴水を分散する複数の噴水穴を持つノズルを備えることを特徴とする請求項１記載の自動散水植木鉢。
【請求項７】
前記供水パイプは、前記第１の収納室における前記植木鉢容器の上端の開口から前記第２の収納室に延び入り、前記噴水パイプは、前記第２の収納室から前記第１の収納室における前記植木鉢容器の上端の開口に延び出ることを特徴とする請求項１記載の自動散水植木鉢。
【請求項８】
前記水汲み器はポンプであることを特徴とする請求項１記載の自動散水植木鉢。
【請求項９】
前記植木鉢容器は、この外部における前記第２の収納室側に形成され、前記コントローラを嵌着して収納するための第３の収納室を有し、
前記自動散水植木鉢は、前記第３の収納室から前記第２の収納室内の水汲み器に配管されるパイプを有し、
前記水汲み器の電線が、前記パイプを介して前記制御回路に電気的に接続される
ことを特徴とする請求項１記載の自動散水植木鉢。
【請求項１０】
前記第３の収納室内に設けられ、前記コントローラ用のバッテリ及び前記水汲み器用のバッテリの二組のバッテリを収納するバッテリ箱と、
前記第３の収納室の外部表面上に設けられる外ふたとを備え、
前記バッテリ箱は、前記コントローラに電気的に接続されて、前記コントローラ及び前記水汲み器に、必要とする電力を供給する
ことを特徴とする請求項９記載の自動散水植木鉢。
【請求項１１】
前記コントローラは、
前記植木鉢容器外部に設けられる第３の収納室内に配置される外筐体と、
この外筐体の表面上に配置され、電源スイッチ、電量状態ランプ、水量状態ランプ、時間設定スイッチ、水量設定スイッチ、テストスイッチ及び警告音出力口を含む操作パネルと、
前記外筐体内に埋め込まれ、制御回路が設けられる制御回路板とを有し、
この制御回路板は、前記操作パネルにより、前記制御回路を設定することにより、前記水汲み器に、定時に定量噴水することを制御させる
ことを特徴とする請求項１記載の自動散水植木鉢。
【請求項１２】
前記制御回路は、
少なくとも電力を供給するユニットであって、このユニットの電力が足りるかどうかを検出可能で電力不足信号を生成する電圧検出ユニットと電気的に接続されるとともに前記ユニットの電力が不足である時に点灯する表示ランプと電気的に接続される電力供給ユニットと、
時間的なカウント信号を供給するタイマーユニットと、
予定散水時間を設定する時間設定ユニットと、
前記水汲み器の水汲み時間を制御する水量制御ユニットと、
前記電力供給ユニット、前記タイマーユニット、前記時間設定ユニット及び前記水量制御ユニットに接続され、１日から１週間である前記時間設定ユニットが設定できる予定散水時間の範囲と、前記水量制御ユニットにより制御する水汲み時間とにより、前記水汲み器の水汲みを制御する制御ユニットと
を含むことを特徴とする請求項１１記載の自動散水植木鉢。
【請求項１３】
前記制御ユニットに電気的に接続され、前記第２の収納室内の水位状態を検出する水位検出ユニットと、
前記制御ユニットに電気的に接続され、電圧や水位状態の警告ランプを表示するＬＥＤ表示器である表示ユニットと、
前記制御ユニットに電気的に接続され、前記水位状態が不足である時に警告音を出力するブザーであるトーン出力ユニットと
を更に含むことを特徴とする請求項１２記載の自動散水植木鉢。
【請求項１４】
前記水位検出ユニットは、前記第２の収納室内の異なる高さに延ばされた複数の導電体で、水の導電特性を利用してセンサーを形成し、
前記制御ユニットは、前記水位検出ユニットが前記第２の容器内の水位が不足であることを検出した時、前記水汲み器の水汲みを停止するように制御する
ことを特徴とする請求項１３記載の自動散水植木鉢。
【請求項１５】
前記ＬＥＤ表示器は、電圧や水位の状態が不足である時、１秒に１回乃至２回点灯し、電圧や水位の状態が正常である時、５秒ごとに１回点灯することを特徴とする請求項１３記載の自動散水植木鉢。
【考案の詳細な説明】
【技術分野】
【０００１】
本考案は、自動散水植木鉢に関し、特に、制御回路を利用して、予定時間に到達する時、自動的に適当な水量を噴出するように、自動散水植木鉢を制御するものに関する。
【背景技術】
【０００２】
近年、観葉植物（景観盆栽）を植える概念は、室内設計に幅広く応用され、使用者に、都市ジャングルに居る感覚の楽しさを提供する。しかしながら、工商社会に居る給与生活者にとって、植木鉢や盆栽などの植物の面倒を見る時間があまりなく、特に、忙しくまた長期間出張することにより、植物に、定時に定量水を供給できないから、それらは、水切れにより枯れてしまう。
【０００３】
メーカは、植物が枯れて死んでしまうことを防止するため、水が貯留される池にモータ−水汲み装置を外置きして、毎日所定時間、自動的に、水を所定水量汲んで、植物にあげることにより、植物が枯れてしまうのを防止する技術を提案した。
【０００４】
しかしながら、このような外置きのモータ−水汲み装置の方法は、室内設計において、全体の美観効果が損なわれ、設計上の明白な欠陥となり、また、従来技術のモータ−水汲み装置には、警告機能がないため、水が貯留される池の水量が無くなる時、モータ−水汲み装置がそれを認識せずに水を汲みを続けるため、モーターが故障することになる。
【０００５】
上記の従来技術に対する説明から分かるように、近年の外置きモータ−水汲み装置は、全体の設計上からいっても、応用機能上からいっても、不便なところがあるため、本考案の考案者は、上記の欠点を改善すべく、慎重に研究することに加えて学理を導入することにより、全体的な見栄えや使用寿命を向上でき、合理的な設計で、上記欠点を有効的に改善できる自動散水植木鉢を開発した。
【考案の開示】
【考案が解決しようとする課題】
【０００６】
本考案の目的は、植木鉢に二つの収納室を設けて、上方を、植物を植えることに供し、下方を、水を貯留することに供する自動散水植木鉢を提供する。また、定時に定量散水する定時定量的な散水装置を設計することにより、散水することを忘れたために、植物が枯れてしまうことを防止する。また、従来のモータ−水汲み装置において配管される多くのパイプの混雑感を改善でき、全体的な見栄えや美観を向上して、有効に、室内設計の設計感を美化する。
【課題を解決するための手段】
【０００７】
本考案は、上記の目的を達成するため、自動散水植木鉢を提供する。この自動散水植木鉢は、上端に開口を持つ植木鉢容器を含む。この容器内には、第１の収納室及び第２の収納室を形成するための区切りや内鉢がある。第１の収納室には、植物が植えられ、第２の収納室には、水が貯留される。容器内には、少なくとも一つの供水パイプ及び少なくとも一つの噴水パイプが設けられる。供水パイプは、第１の収納室から第２の収納室に延び入り、水を第２の収納室内に注入する。噴水パイプは、第２の収納室内で水汲み器と接続される。水汲み器は、コントローラによって制御され、可定時定量に、第２の収納室内の水を汲んで、噴水パイプから第１の収納室に噴水して、植物が水切れにより枯れるのを防止できる。
【０００８】
本考案に係わる上記自動散水植木鉢には、植木鉢容器の外部に、コントローラを収納する第３の収納室が設けられる。また、第３の収納室から第２の収納室内の水汲み器にパイプが配管され、水汲み器の電源（電線）は、そのパイプの通道を介して制御回路に電気的に接続される。
【０００９】
本考案に係わる上記自動散水植木鉢は、コントローラの表面上に操作パネルが設けられる。その内部には、制御回路の回路板が設けられ、制御回路は、操作パネル上での操作設定により、水汲み器の定時定量噴水を制御する。
【００１０】
本考案に係わる上記自動散水植木鉢の制御回路には、使用者に、植木鉢内の水位不足や制御回路の電量不足を警告するための、水位不足やバッテリ電量不足についての警告機能が設けられる。これにより、水汲み器が空運転して故障になることを防止するので、植木鉢の寿命が向上する。
【考案を実施するための最良の形態】
【００１１】
以下、図面を参照しながら、本考案の特徴と技術内容を詳しく説明するが、図面は、参考や説明に供するもので、本考案を制限するものではない。
【００１２】
図１は、本考案に係わる自動散水植木鉢の第１の実施例の分解斜視図であり、本考案の自動散水植木鉢100 は、上端に開口を持つ容器であり、この中にその容器内を上下２つの収納室に分けるための区切り15が設けられる。つまり、第１の収納室10と第２の収納室20が形成され、第１の収納室10の内部には、観葉植物、景観植物を植えるための土壌が収納される一方、第２の収納室20には、水が貯留される。
【００１３】
植木鉢容器100 内の中央部には、この中央部に区切り15を水平に支持固定するための突出部が設けられる。区切り15上には、この区切り15による土壌を支持する支持力を強化するための少なくとも一つの凸縁151 が設けられる。また、区切り15上には、第１の収納室10内の土壌の水分が多すぎる時、その余分の水分を第２の収納室20内に滲入（滴下）するための複数の微細穴152 が配列される。
【００１４】
図２は、本考案に係わる自動散水植木鉢の第２の実施例の分解斜視図であり、自動散水植木鉢100 は、上端に開口を持つ容器であり、内鉢16は、植木鉢100 の内部上方に嵌着されて、第１の収納室10を形成する。つまり、植木鉢の内部は、上下の２つの収納室に分けられる。内鉢16の内部は、観葉植物、景観植物を植えるための土壌を収納することに供され、内鉢16の下方にある植木鉢100 容器は、水を貯留することに供される第２の収納室20を形成する。内鉢16の底板上にも、複数の微細穴が配置される。
【００１５】
植木鉢容器100 内には、更に、少なくとも一つの供水パイプ53及び少なくとも一つの噴水パイプ56がある。本考案の好適な実施例においては、二つの供水パイプ53及び二つの噴水パイプ56が設けられる。また、供水パイプ53と噴水パイプ56とが、一体に結合して、植木鉢容器100 の上端の開口へ延びる。
【００１６】
供水パイプ53は、第１の収納室10から第２の収納室20に延び入り、供水パイプ53の上端から水を第２の収納室20内に注入する。噴水パイプ56は、第２の収納室20から第１の収納室10に延び出る。そのため、区切り15や内鉢16の周縁には、供水パイプ53と噴水パイプ56とを嵌入するための少なくとも一つの凹部153 が形成される必要がある。
【００１７】
供水パイプ53は、この上端に、第２の収納室20内に水を注入するとともに供水パイプ53の上端を封止するための上げ開き乃至回し開き可能な可動ストッパー531 を有する。
【００１８】
噴水パイプ56は、この上端にノズル561 を備え、このノズル561 上には、噴水を分散して、水分を均一に土壌に散水するための複数の噴水穴(図に未表示)が設けられる。
【００１９】
噴水パイプ56は、第２の収納室20内で水汲み器40と接続される。水汲み器40は、好ましくはポンプである。水汲み器40にはコントローラ30が電気的に接続される。このコントローラ30は、定時に定量、第２の収納室20内の水を汲んで、噴水パイプ56及びノズル561 により、第１の収納室10の土壌上に散水して、植物の生命を維持するように、制御する。
【００２０】
植木鉢100 容器の外部には、第３の収納室21が設けられる。この第３の収納室21には、第２の収納室20の外部表面上に嵌着されて、第３の収納室21を覆い隠す外ふた23がある。第３の収納室21は、主として、コントローラ30及びバッテリ箱31を収納する。第３の収納室21から第２の収納室20内の水汲み器40にパイプ22が配管され、水汲み器40の電線は、パイプ22を介して（パイプ22内に配線されて）、コントローラ30に電気的に接続される。
【００２１】
バッテリ箱31内には、少なくとも一つのバッテリが収納される。また、バッテリ箱31は、コントローラ30と水汲み器40とに必要とする電力を供給するために、コントローラ30に電気的に接続される。好ましくは、バッテリ箱31内には二組のバッテリがあり、一組は、コントローラ30用のバッテリであり、もう一組は、水汲み器40用のバッテリである。それは、コントローラ30が消費する電力が、水汲み器40が消費する電力より小さいから、水汲み器40の電力が無くなる時でも、コントローラ30を継続的に稼働することができる。
【００２２】
コントローラ30には、コントローラ30を第３の収納室21内に配置するための外筐体32が設けられる。この外筐体32の表面上には、操作パネル33が設けられる一方、外筐体32の内部には、制御回路板(図に未表示)が設けられる。この制御回路板には、制御回路が設けられ、操作パネル33により制御回路を設定することにより、水汲み器40を、定時に定量噴水するように制御する。
【００２３】
図３は、本考案に係わるコントローラの回路ブロック概念図であり、図４は、本考案に係わる操作パネルの概念図である。本考案の操作パネル33上には、状態ランプ301 、電源スイッチ302 、水量状態ランプ303 、時間設定スイッチ305 、警告音出力口306 、水量設定スイッチ307 及びテストスイッチ308 が設置される。コントローラ30内の制御回路には、電源スイッチ302 に電気的に接続されてから、バッテリ箱31に電気的に接続され、コントローラ30と水汲み器40とに必要とする電力を供給するための電力供給ユニット605 が設けられる。
【００２４】
電力供給ユニット605 は、電力ユニット605 の電力が足りるかどうかを検出できる電圧検出ユニット610 と電気的に接続され、バッテリの電力が不足である時、電力不足信号を生成して制御ユニット655 へ伝送し、そして、制御ユニット655 は、状態ランプ301 が警告ランプを発するように、制御する。
【００２５】
上記制御回路には、更に、制御ユニット655 に電気的に接続されるタイマーユニット620 があり、このタイマーユニット620 は、時間的なカウント信号を制御ユニット655 に供給する。この制御ユニット655 には、操作パネル33上の時間設定スイッチ305 として、設定時間の範囲が１日から１週間で、タイマーユニット620 の時間的なカウント信号により設定時間のカウントを供給し、カウント時間になる時、制御ユニット655 が、水汲み器40に対して水汲み信号を出力して、水汲み器40に第２の収納室20内の水を汲ませるように、時間設定ユニットが電気的に接続される。
【００２６】
上記制御回路には、更に、操作パネル33上の水量制御スイッチ307 として、制御ユニット655 により、水汲み器40の水汲み時間を制御し、即ち、水汲み器40の水汲み量を設定し、また、水汲み量の設定範囲が、約100CC 乃至1000CCで、制御ユニット655 が、水汲み器40に、所定量の水汲みを駆動させるための、制御ユニット655 に電気的に接続される水量制御ユニットが設けられる。
【００２７】
上記制御回路には、更に、第２の収納室20内に実装され、制御ユニット655 に電気的に接続される水位検出ユニット640 が設けられる。この水位検出ユニット640 は、第２の収納室20内の水位状態を検出する。好ましくは、水位検出ユニット640 は、第２の収納室20内の異なる高さに延ばされた複数の導電体(図に未表示)で、水の導電特性を利用して、水位の高さを検知するセンサー(Sensor)を形成し、制御ユニット655 が、水位の高さの検知信号を水量状態ランプ303 に出力して、水位状態を表示する。
【００２８】
第２の収納室20の水量が不足になる時、水位検出ユニット640 は、水位不足信号を制御ユニット655 に伝送し、この制御ユニット655 は、状態ランプが警告ランプを発するように制御する。好ましいのは、本考案の実施例のように、状態ランプ（状態警告灯）301 に、２色ＬＥＤランプを使用し、水位状態や電圧状態が正常である時、２色ＬＥＤランプの緑ランプが５秒ごとに１回点灯（閃光）することで、自動散水植木鉢100 が正常に稼働していることを表示する。
【００２９】
逆に、水位検出ユニット640 や電圧検出ユニット610 は、水位状態が不足であることや電圧状態が不足であることを検知した時、２色ＬＥＤランプの赤ランプが１秒に１回乃至２回点灯するように、また、操作パネル33上に設置される、例えば、ブザーのような警告音出力口306 のトーン出力ユニット650 から、警告音声を発することにより、使用者に、バッテリの交換や第２の収納室20の水量の補給を注意させる。
【００３０】
また、水位不足や電力不足の状態下では、制御ユニット655 が、水汲み器40の作動を停止させるように制御し、水汲み器40が空運転して故障になることを防止して、有効に従来の欠点を改善する。
【００３１】
特に、操作パネル33上には、更に、テストスイッチ308(TEST) が設けられ、使用者に、タイマーユニット620 のカウント時間をリセットする機能を提供することにより、自動散水植木鉢100 は、完全な使用機能を有することだけでなく、操作利便性の特徴を持つ。
【００３２】
以上の説明によれば、本考案に係わる自動散水植木鉢100 は、使用者が、制御回路に対して、予定時間を設定することにより、予定時間に到達した時、自動的に適当な水量を噴出するものであり、また、出願する前に、刊行物に見られないし、公開に使用されることもないから、実用新案の要件を満たすため、法に従って、実用新案登録請求を出願する。
【００３３】
以上の説明は、ただ、本考案のより良い具体実施例の詳しい説明と図面であり、本考案の実用新案登録請求の範囲の精神に従う実施例や類似する実施例は、全てが、本考案の実用新案登録請求の範囲に含まれ、また、この技術を熟練するものが、本考案の領域において、簡単に想起できる変化や変更も、本考案の実用新案登録請求の範囲に含まれる。
【図面の簡単な説明】
【００３４】
【図１】本考案に係わる自動散水植木鉢の第１の実施例の分解斜視図である。
【図２】本考案に係わる自動散水植木鉢の第２の実施例の分解斜視図である。
【図３】本考案に係わるコントローラの回路ブロック概念図である。
【図４】本考案に係わる操作パネルの概念図である。
【符号の説明】
【００３５】
100  自動散水植木鉢
15   区切り
151  凸縁
152  細微な穴
153  凹部
16   内鉢
10   第１の収納室
20   第２の収納室
21   第３の収納室
22   パイプ
23   外ふた
30   コントローラ
31   バッテリ箱
32   外筐体
33   操作パネル
40   水汲み器
53   供水パイプ
531  可動ストッパー
56   噴水パイプ
561  ノズル
301  状態ランプ
302  電源スイッチ
303  水量状態ランプ
305  時間設定スイッチ
306  警告音出力口
307  水量設定スイッチ
308  テストスイッチ
605  電力供給ユニット
610  電圧検出ユニット
655  制御ユニット
620  タイマーユニット
640  水位検出ユニット
650  トーン出力ユニット
【図１】
0003108628.tif 000003
【図２】
0003108628.tif 000004
【図３】
0003108628.tif 000005
【図４】
0003108628.tif 000006